(57)【要約】【課題】  複数の花壇や野菜畑を任意の形状・レイアウトで形成することができ、また、土圧や水圧による側壁の崩れや、縁取り形状の変形の心配も少なく、しかも、排水機能や保水機能の付与も可能で、製造コストも低廉に抑えることができる間仕切り自在な組立て式プランターを提供すること。【解決手段】  平面視で縦横に等間隔で列設された貫通孔11・11…又は凹部を有する底板１と；この底板１上に並置されて側壁を形成するブロック状のユニット部材であって、前記底板１の貫通孔11又は凹部に差し込んで固定可能な凸部21・21を、貫通孔11・11…や凹部と同じ間隔で少なくとも下面側に二つ備えた側壁ユニット２・２…とを含んで組立て式プランターを構成した。【選択図】  図１
2013230121.tif 000002
【特許請求の範囲】
【請求項１】
平面視で縦横に等間隔で列設された貫通孔(11)(11)…又は凹部を有する底板(１)と；この底板(１)上に並置されて側壁を形成するブロック状のユニット部材であって、前記底板(１)の貫通孔(11)又は凹部に差し込んで固定可能な凸部(21)(21)を、貫通孔(11)や凹部と同じ間隔で少なくとも下面側に二つ備えた側壁ユニット(２)(２)…とを含んで構成したことにより、
前記底板(１)の周縁側の貫通孔(11)(11)…または凹部に凸部(21)(21)を差し込んで、側壁ユニット(２)(２)…を並置することにより縁取りが可能であり、また底板(１)の中央側の貫通孔(11)(11)…に凸部(21)(21)を固定して、側壁ユニット(２)を任意の向き・配置で並置することにより内側のスペースも自由に間仕切り可能であることを特徴とする間仕切り自在な組立式プランター。
【請求項２】
底板(１)に設けられた貫通孔(11)(11)…または凹部の縦横各列の間に、カッターやハサミで切断するためのガイド溝(12)(12)…が形成されていることを特徴とする請求項１記載の間仕切り自在な組立式プランター。
【請求項３】
側壁ユニット(２)上面における凸部(21)(21)が真下にくる位置に、凸部(21)下端まで貫通する貫通孔(22)(22)または凹部が設けられていることを特徴とする請求項１または２に記載の間仕切り自在な組立式プランター。
【請求項４】
側壁ユニット(２)上に配置されて笠木を形成するユニット部材であって、側壁ユニット(２)の貫通孔(22)(22)または凹部に差し込んで固定可能な凸部(31)(31)を下面側に備えた笠木ユニット(３)を含んで構成されているを特徴とする請求項３記載の間仕切り自在な組立式プランター。
【請求項５】
笠木ユニット(３)の凸部(31)(31)を、下端部が開口した中空形状とする一方、この凸部(31)(31)が真下にくるユニット上面の所定位置に、凸部(31)の中空断面の輪郭に沿ったミシン目(32)(32)を形成したことにより、使用時に前記ミシン目(32)の内側を棒材で突き破って笠木ユニット(３)に貫通孔を形成可能としたことを特徴とする請求項１〜４の何れか一つに記載の間仕切り自在な組立式プランター。
【請求項６】
底板(１)が、外周各辺の側面に連結部(Ｊ)を備えた複数の底板ユニット(Ｕ)(Ｕ)…を連結して構成されていることを特徴とする請求項１〜５の何れか一つに記載の間仕切り自在な組立式プランター。
【請求項７】
側壁ユニット(２)(２)…を固定するための貫通孔(11)(11)…を底板(１)に備えた請求項１記載の組立式プランターにおいて、底板(１)に保水用の貯水窪み部(13)(13)…を形成したことを特徴とする間仕切り自在な組立式プランター。
【請求項８】
平面視で縦横に等間隔で列設された突起部を有する底板(１)と；この底板(１)上に並置されて側壁を形成するためのブロック状のユニット部材であって、前記底板(１)の突起部に嵌め込んで固定可能な貫通孔または凹部を、下面側に突起部と同じ間隔で少なくとも下面側に二つ備えた側壁ユニット(２)(２)…とを含んで構成したことにより、
前記底板(１)の周縁側の突起部に貫通孔又は凹部を差し込んで、側壁ユニット(２)(２)…を並置することにより縁取りが可能であり、また底板(１)の中央側の突起部に貫通孔または凹部を固定して、側壁ユニット(２)を任意の向き・配置で固定することにより内側のスペースも自由に間仕切り可能であることを特徴とする間仕切り自在な組立式プランター。
【発明の詳細な説明】
【技術分野】
【０００１】
本発明は、組立て式プランターの改良、詳しくは、複数の花壇や野菜畑を任意の形状・レイアウトで形成することができ、また、土圧や水圧によって側壁の崩壊したり、縁取り形状が変形したりする憂いもなく、しかも、排水機能や保水機能も付与できる間仕切り自在な組立て式プランターに関するものである。
【背景技術】
【０００２】
周知のとおり、ガーデニングや家庭菜園では、煉瓦やプランターで縁取りを行った後、その内側に土を入れて花壇や野菜畑を形成することが多い。また最近では、ビルの屋上を緑化するために屋上庭園(菜園)を作る企業も増えており、その際には屋上の敷地に合わせてプランターを設置するのが一般的である。
【０００３】
また、上記花壇等の縁取りに使用する煉瓦については、上下面に凹凸を備えたコンクリートブロック(特許文献１参照)や、プラスチック製ブロック(特許文献２〜４参照)などで代用することも多く、これらを使用すればモルタル等で接着しなくても凹凸を嵌め合わせて積み重ねるだけで簡単に側壁を形成できる。
【０００４】
一方、従来においては、上記のように煉瓦状に積み重ねるブロックだけでなく、横方向に並べて連結可能な角柱状のブロックも開発されており(特許文献５参照)、特にこの文献５に係る技術では、周壁の任意の位置に三方向に連結可能なブロックを使用することで、内側スペースの間仕切りも行えるようになっている。
【０００５】
しかしながら、上記従来の縁取り用ブロックは、ブロックを単に地面に配置するか、土中に埋め込むだけの構造であったため、ブロックで形成した側壁が充分に固定されているとはいえず、例えば、土中の含水量が増す豪雨時や振動により土圧が高まる地震時に、側壁が崩壊したり、縁取り形状が変形したりする心配があった。
【０００６】
他方、本件発明者は、底板周縁に側壁を立設する組立て式プランターを以前に開発したが(特許文献６,７参照)、これらのプランターでは、上記土圧や水圧の問題は軽減されるものの、内側を仕切ることができなかったため、品種によって土量や肥料を変えたい場合にわざわざ複数のプランターを使用する必要があった。
【０００７】
また、上記プランターの底板に、仕切りを取り付けるための部位(例えば、凹凸部や係止部)を設けるにしても、排水孔などと一緒に設けると底板の形状が非常に複雑になって製造コストが高く付くデメリットが生じるため、底板の形状をできるだけ複雑化させずに仕切りを取り付ける工夫が必要となった。
【先行技術文献】
【特許文献】
【０００８】
【特許文献１】特開２００１−１１９８１号公報
【特許文献２】特開２００９−３９０８９号公報
【特許文献３】特開２００４−１９７４７６号公報
【特許文献４】実用新案登録第３１３２４４１号公報
【特許文献５】特開平１１−３１３５４５号公報
【特許文献６】特開２００５−６６１０号公報
【特許文献７】特願２０１１−２９４２０号
【発明の開示】
【発明が解決しようとする課題】
【０００９】
本発明は、上記の如き問題に鑑みて為されたものであり、その目的とするところは、複数の花壇や野菜畑を任意の形状・レイアウトで形成することができ、また、土圧や水圧による側壁の崩れや、縁取り形状の変形の心配も少なく、しかも、排水機能や保水機能の付与も可能で、製造コストも低廉に抑えることができる間仕切り自在な組立て式プランターを提供することにある。
【課題を解決するための手段】
【００１０】
本発明者が上記課題を解決するために採用した手段を添付図面を参照して説明すれば次のとおりである。
【００１１】
即ち、本発明は、平面視で縦横に等間隔で列設された貫通孔11・11…又は凹部を有する底板１と；この底板１上に並置されて側壁を形成するブロック状のユニット部材であって、前記底板１の貫通孔11又は凹部に差し込んで固定可能な凸部21・21を、貫通孔11・11…や凹部と同じ間隔で少なくとも下面側に二つ備えた側壁ユニット２・２…とを含んで組立て式プランターを構成したことにより、
前記底板１の周縁側の貫通孔11・11…または凹部に凸部21・21を差し込んで、側壁ユニット２・２…を並置することで縁取りを可能とし、また中央側の貫通孔11・11…に、側壁ユニット２を任意の向き・配置で並置して縁取り内側のスペースも自由に間仕切り可能とした点に特徴がある。
【００１２】
また、上記底板１については、貫通孔11・11…または凹部の各縦列及び各横列の間に、カッターやハサミで切断するためのガイド溝12・12…を形成すれば、底板をガイド溝に沿って任意の形状に切断することが可能となるため、用途や設置場所に応じて底板の形状や大きさを自由に変更することもできる。
【００１３】
一方、上記側壁ユニット２上面における凸部21・21が真下にくる位置に、凸部21下端まで貫通する貫通孔22・22または凹部を設ければ、側壁ユニットを上下に積み重ねて任意の高さの側壁を形成することも可能となる。
【００１４】
そしてまた、上記底板１や側壁ユニット２に加え、笠木ユニット３を含んで構成することにより、側壁ユニット２の貫通孔22・22または凹部に水や土などが入り込まないようにすることもできる。なお、笠木ユニット３とは、側壁ユニット２上に配置して笠木を形成するユニット部材であって、その下面側には、側壁ユニット２の貫通孔22・22または凹部に差し込んで固定可能な凸部31・31を備えている。
【００１５】
また更に、上記笠木ユニット３については、凸部31・31を下端部が開口した中空形状にすると共に、この凸部31・31が真下にくるユニット上面の所定位置に、凸部31の中空断面の輪郭に沿ったミシン目32・32を形成することができる。これにより、使用時にミシン目32を棒材Ｒで突き破って貫通孔を形成することができるため、ビニールハウスのアーチ棒やツタを絡める支柱を笠木ユニット３の上から簡単に取り付けることができる。
【００１６】
他方、上記底板１については、外周各辺の側面に連結部Ｊを備えた複数の底板ユニットＵ・Ｕ…を連結して構成することにより、底板ユニットＵ・Ｕ…の数や配置によって底板の大きさや形状を自由に変更することができる。
【００１７】
また、上記側壁ユニット２・２…を固定するための貫通孔11・11…を底板１に備える場合において、底板１に保水用の貯水窪み部13・13…を形成することにより、プランターにおける水はけと保水のバランスを調整することもできる。
【００１８】
また本発明では、上記底板１と側壁ユニット２の凹凸構造を逆転して、底板１に平面視で縦横に等間隔で並んだ突起部を設けると共に、側壁ユニット２の下面側に、底板１の突起部に嵌め込んで固定可能な貫通孔または凹部を設けることもできる。またこれにより、底板１の突起部に側壁ユニット２・２…を固定して縁取りや間仕切りを形成できる。
【発明の効果】
【００１９】
本発明では、貫通孔(又は凹部)が縦横に等間隔に並んだ底板と、同じ間隔で凸部が並んだ側壁ユニットとからプランターを構成したことにより、底板周縁の貫通孔に凸部を差し込んで側壁ユニットを並置するだけで縁取りを形成でき、しかも、底板中央の貫通孔に凸部を差し込んで側壁ユニットを任意の向き・配置で並置すれば、縁取り内のスペースも自由に間仕切りすることが可能となる。
【００２０】
そしてこれにより、土の量や肥料が異なる複数品種の花や野菜を育てたい場合に、上記側壁ユニットを用いて縁取り内を間仕切りすれば、一つのプランターの中に任意の形状・レイアウトで複数の野菜畑や花壇を形成することができるため、わざわざ複数のプランターを用意する必要がなくなる。
【００２１】
また更に、本発明のプランター構造を採用すれば、貫通孔と凸部の凹凸構造によって側壁ユニットを底板にしっかりと固定することができるため、豪雨時や地震時において、側壁に大きな土圧や水圧がかかったとしても、簡単に側壁が崩壊したり縁取り形状が変形したりする心配はなく、安心して屋外に設置することができる。
【００２２】
そしてまた、側壁ユニットを固定するために底板に貫通孔を設ける場合には、使用しない貫通孔を排水孔として利用できるため、排水孔を別に設ける必要がなくなる。またこれによって、プランターの構造を簡素化して製造コストも安く抑えられる。なお、貫通孔を凹部とする場合には、使用しない凹部を保水用の貯水窪みとして利用できる。
【００２３】
したがって、本発明により、ガーデニングや家庭菜園、屋上菜園等で複数品種の花や野菜を植えたい場合に非常に使い勝手が良く、また構造物として充分な堅牢性を備え、しかも、機能面および製造コスト面でも有利な組立て式プランターを提供できることから、本発明の実用的利用価値は頗る高い。
【図面の簡単な説明】
【００２４】
【図１】本発明の実施例１における組立て式プランターの一態様を表わす分解斜視図である。
【図２】本発明の実施例１における組立て式プランターの一態様を表わす平面図である。
【図３】本発明の実施例１における底板ユニットを表わす全体斜視図である。
【図４】本発明の実施例１における組立て式プランターの一態様を表わす平面図である。
【図５】本発明の実施例１における組立て式プランターの一態様を表わす部分拡大図である。
【図６】本発明の実施例１における側壁ユニットを表わす全体斜視図である。
【図７】本発明の実施例１における側壁ユニット同士を積み重ねた状態を表わす状態説明図である。
【図８】本発明の実施例１における笠木ユニットを表わす全体斜視図である。
【図９】本発明の実施例１における笠木ユニットに棒材を突き刺した状態を表わす状態説明図である。
【図１０】本発明の実施例１における組立て式プランターの一態様を表わす全体斜視図である。
【発明を実施するための形態】
【００２５】
『実施例１』
本発明の実施例１について、図１から図５に基いて説明する。同図において、符号１で指示するものは底板であり、符号２で指示するものは側壁ユニットである。また、符号３で指示するものは、笠木ユニットである。
【００２６】
［組立て式プランターの構成］
まず、組立て式プランターの構成について説明する。この実施例１では、底板１上に複数の側壁ユニット２・２…を大きな隙間ができないように並べて側壁を形成し、更にその並置した側壁ユニット２・２の上側に笠木ユニット３・３…を取り付けて花壇等に使用するプランターＰを構成している(図１、図２参照)。
【００２７】
また、上記底板１は、平面視で縦横に等間隔で列設された複数の貫通孔11・11…を備えており、この貫通孔11・11に側壁ユニット２の下面側に設けた凸部21・21を差し込んで側壁ユニット２を底板１に固定している。なお、図１及び図２は、底板１の周縁部と左右中央部に側壁ユニット２・２…を固定した形態を示している。
【００２８】
一方、本実施例では、上記底板１を、図３に示す合成樹脂製の底板ユニットＵを並べて構成しており、隣接する底板ユニットＵ・Ｕ…同士を、外周各辺の側面に備えた連結部Ｊで接続して一枚の底板１を形成している。これにより、底板ユニットＵ・Ｕ…の数や配置を変えれば、図４に示すように、底板１のサイズや形状を自由に変更できる。
【００２９】
また更に、本実施例では、上記底板ユニットＵの貫通孔11・11…の縦横各列の間に、カッターやハサミで切断するためのガイド溝12・12…を形成している。これにより、底板１をガイド溝12・12…に沿って切断すれば、図５に示すように、底板１の形状を用途や設置場所に応じて任意に変更できる。
【００３０】
そしてまた、本実施例では、上記底板ユニットＵに対して、貫通孔11・11…と平行に有底の貯水窪み部13・13…も列設している。これにより、プランターの使用時において、土中の水分の一部が排水されることなく貯水窪み部13・13…に貯まるため、プランター内に収容した土壌の保水性を向上できる。
【００３１】
他方、上記側壁ユニット２に関しては、図６に示す合成樹脂製のブロック状ユニット部材であり、底板１の貫通孔11に差し込んで固定可能な凸部21・21を下面側に二つ備え、かつ、上面における前記凸部21・21が真下にくる位置に、凸部21下端まで貫通する貫通孔22・22を二つ備えている。
【００３２】
これにより、図７(a)に示すように、側壁ユニット２の下面側の凸部21・21を別の側壁ユニット２’の上面側の貫通孔22’・22’に差し込めば、複数の側壁ユニット２・２’を上下に積み重ねることができる。なお本実施例では、上記貫通孔22の内壁に環状突起Ｓを設けて、この環状突起Ｓを凸部の周溝Ｄに係止することで、挿入ストッパーとしている。
【００３３】
また更に、本実施例では、図７(b)に示すように、側壁ユニット２の凸部21・21(または貫通孔22・22)同士の間隔Ｘと、横に並べた側壁ユニット２・２’の近い側の凸部21・21’(貫通孔22・22’)同士の間隔Ｙが等しくなる形状としているため、複数の側壁ユニット２を煉瓦状に互い違いに積み重ねることも可能である。
【００３４】
なお、上記のように側壁ユニット２・２…を、煉瓦状に互い違いに積み重ねれば、横に並んだ側壁ユニット２・２’同士を上側に積み重ねた側壁ユニット２でしっかりと連結することができるため、形成される側壁の強度は、側壁ユニット２を単に上下に積み重ねるよりも格段に向上する。
【００３５】
そしてまた、上記笠木ユニット３に関しては、図８に示す合成樹脂製の板状ユニット部材であり、側壁ユニット２の貫通孔22・22に差し込んで固定する凸部31・31を下面側に二つ備えている。そして、この笠木ユニット３を、側壁ユニット２上に被せて笠木とすれば、貫通孔22・22内に水や土等が入り込まないようにすることができる。
【００３６】
なお、本実施例では、上記笠木ユニット３の高さ以外の寸法(平面視における縦幅と横幅)及び凸部31・31同士の間隔を、側壁ユニット２の寸法及び貫通孔22・22の間隔に合わせているため、笠木ユニット３を側壁ユニット２に対して、幅を揃えて積み重ねることも、互い違いに積み重ねることもできる。
【００３７】
また更に、本実施例では、上記笠木ユニット３の下面側に設けた凸部31・31を下端部が開口した中空形状にすると共に、ユニット上面における凸部31・31が真下にくる位置に、凸部31の中空断面の輪郭に沿ったミシン目32・32を形成している。これにより、図９に示すように、棒材Ｒでミシン目32を突き破れば、簡単に貫通孔を形成できる。
【００３８】
そのため、ビニールハウスのアーチ棒やツタを絡める支柱をプランターに取り付けたい場合に、棒材Ｒを笠木ユニット３のミシン目32に突き刺せば、笠木ユニット３、側壁ユニット２及び底板１を貫通した状態で棒材Ｒを容易に取り付けることができるため、プランターＰの使い勝手を向上できる。
【００３９】
［組立て式プランターの使用方法］
次に、組立て式プランターの使用方法について説明する。まず最初に、設置場所や用途に応じて底板１のサイズや形状を決定する。そして、目的のサイズ・形状となるように複数の底板ユニットＵ・Ｕを並べて連結し、また必要に応じてガイド溝12に沿ってカッター等で底板ユニットＵを切断して形を調える。
【００４０】
その後、上記底板１の周縁側の貫通孔11・11…に、凸部21・21を差し込んで側壁ユニット２・２…を並置して縁取りとなる側壁をを形成する。また、使用されていない中央側の貫通孔11・11…に対しても、任意の向き・配置で側壁ユニット２を固定して縁取り内のスペースを間仕切りする側壁を形成する。
【００４１】
そして、上記のように側壁ユニット２・２…で間仕切りを行うことにより、一つのプランターＰの中に複数の花壇や野菜畑を作るスペースを形成することができる。また、分割したスペースの数や形状、レイアウトも自由に変更できるため、様々なガーデニングデザインや畑の割り付けに対応することができる。
【００４２】
例えば、根菜類や上下に長い根を張る植物と、それ以外の植物を一緒に植えたい場合には、根菜類等の方に多くの土を入れる必要があるため、図１０に示すように側壁ユニット２・２…を部分的に高く積んで、側壁の高さが異なるスペースを形成することもできる。また、これを応用して段々花壇や段々畑を形成することもできる。
【００４３】
そして、上記プランターＰを組み立てた後は、各スペースの底板１及び内壁面を覆うように透水シート(不織布等)を敷き、その上から土を入れて花壇や畑を形成する。なお、透水シートは、底板１の貫通孔11・11…や側壁ユニット２・２…同士の隙間から土が漏れ出さないようにするために使用する。
【００４４】
また、上記花壇や畑に水を撒いたときや雨が降ったとき、土壌中の余分な水分は、使用されなかった底板１の貫通孔11・11…から排水されるが、水分の一部は排水されることなく貯水窪み部13・13…に溜まるため、未使用の貫通孔11・11…が多くても、土壌の排水性と保水性のバランスが崩れることはない。
【００４５】
本発明は、概ね上記のように構成されるが、本発明は図示の実施形態に限定されるものでは決してなく、「特許請求の範囲」の記載内において種々の変更が可能であって、例えば、底板１に列設した貫通孔11・11…や側壁ユニット２の上面側に設けた貫通孔22・22を、有底の凹部とすることもできる。
【００４６】
また、底板１の貫通孔を凹部に変える場合には、凹部を貯水窪み部として利用できる一方、逆に排水機能が失われてしまうため、別に排水孔を設ける必要がある。また更に、貫通孔と凹部を混在させることも可能で、その場合には、両者の数を調整して排水性と保水性のバランスを取ることができる。
【００４７】
そしてまた、底板１については、必ずしも底板ユニットＵ・Ｕ…を連結して構成する必要はなく、また、側壁ユニット２・２…に関しても、凸部21が一列に３個以上並んだ長細い形状や、凸部が縦横に複数列並んだ大型の形状とすることもできる。もちろん、側壁ユニット２を平面視で異形形状とすることもできる。
【００４８】
また、形状の異なる側壁ユニット２を複数用意して組み合わせることもでき、例えば、平面視で長方形型やＬ字型、Ｔ字型の側壁ユニット２を用意すれば、間仕切り形状のバリエーションを増やすことができる。また、同じ長方形型でも、長さの異なるものを使用すれば、使用するユニット数を減らすことができる。
【００４９】
そして、この側壁ユニット２のバリエーション化は、笠木ユニット３にも適用することができ、側壁ユニット２に合わせて形状の異なる笠木ユニット３を複数用意することができる。また、笠木ユニット３の形状は、必ずしも板状である必要はなくブロック塀などで見られる三角柱状の形態であってもよい。
【００５０】
他方また、上記底板１と側壁ユニット２の固定手段に関しては、凹凸構造を逆転することもでき、その場合には、平面視で縦横に等間隔で並んだ突起部を底板に列設するとともに、側壁ユニット２(笠木ユニット３)の下面側に、底板１(側壁ユニット２上面)の突起部に嵌め込んで固定可能な貫通孔または凹部を設ける。
【００５１】
そしてまた、上記底板１や側壁ユニット２、笠木ユニット３に使用する材料としては、成形性に優れた合成樹脂材料(例えば、ポリプロピレンや高密度ポリエチレン、塩化ビニル等)や、異種材料(金属材料等)を含む複合材料などを使用することができ、何れのものも本発明の技術的範囲に属する。
【産業上の利用可能性】
【００５２】
最近では、ＣＯ2問題に端を発する緑化運動の活発化や、高齢者化社会の到来によるガーデニング人口の増加、自然志向のライフスタイル(LOHAS)の人気の高まりを受けて、ガーデニング用品や屋上緑化用品の需要が伸びており、それぞれの需要者に合った植木鉢やプランターが求められている。
【００５３】
そのような中で、本発明の間仕切り自在な組立て式プランターは、家庭菜園や屋上緑化などの様々な用途や、多様なガーデニングデザインに対応することができ、しかも、製品コストをできるだけ安く抑えて提供できる技術であることから、その産業上の利用価値は非常に高い。
【符号の説明】
【００５４】
１  底板
11  貫通孔
12  ガイド溝
13  貯水窪み部
２  側壁ユニット
21  凸部
22  貫通孔
３  笠木ユニット
31  凸部
32  ミシン目
Ｐ  プランター
Ｕ  底板ユニット
Ｊ  連結部
Ｓ  環状突起
Ｄ  周溝
Ｒ  棒材
【図１】
2013230121.tif 000003
【図２】
2013230121.tif 000004
【図３】
2013230121.tif 000005
【図４】
2013230121.tif 000006
【図５】
2013230121.tif 000007
【図６】
2013230121.tif 000008
【図７】
2013230121.tif 000009
【図８】
2013230121.tif 000010
【図９】
2013230121.tif 000011
【図１０】
2013230121.tif 000012